(57)【要約】      （修正有）【課題】放熱面積を拡大することで放熱効果を高め、大きいパワーの発光ダイオードに対応する照明器具の放熱装置を提供する。【解決手段】照明器具は、台座１０周辺に排気空間を設置し、排気空間の頂上部に排気用ファン９０を設置して、更に、発光ダイオード照明器具の背面に複数の導熱性パーツ６０が設置されて、排気空間内の台座１０周辺内壁にまで伸びていることにより、放熱面積が拡大されて、発生する高熱を、速やかに台座１０全体の周辺に伝えて、放熱効率を高める。同時に、排気空間内で放熱された熱気もまた、速やかに排気用ファン９０によって外に排出されるので、速やかに放熱される。【選択図】図１
0003131592.tif 000002
【実用新案登録請求の範囲】
【請求項１】
凹型をしており、底部に通気穴を有する台座と、
台座底部に設置されて、プリント回路板及びプリント回路板に固定された複数の発光ダイオードを有し、前記発光ダイオードはさらに台座の通気穴の位置に対応する発光ダイオード照明器具と、
発光ダイオード照明器具のプリント回路板の背面に設置され、台座内に位置し、複数の魚のひれ状の放熱片が並んでいる放熱体と、
放熱体の一側面に設置された第一排気用ファンと、
台座内に設置され、放熱体の上方に位置する電源供給装置とを備え、
台座周辺内壁に複数の魚のひれ状の放熱片が分布し、周辺底部近くには複数の貫通穴が設置されて、発光ダイオード照明器具のプリント回路板背面には、複数の導熱性パーツの吸熱先端が取り付けられ、前記導熱性パーツの放熱先端は台座の周辺内壁まで伸びていて、台座内には内カバーが設置されて、台座内の発光ダイオード照明器具、放熱体、第一排気用ファン、電源供給装置等の構成部分をカバーして、台座周辺との間にちょうど導熱性パーツを収納する第一排気空間を形成し、前記第一排気空間は台座周辺底部の貫通穴と互いに通じていて、台座上方には外カバーが設置されて、前記外カバーは内カバーと共に第一排気空間と相通じる第二排気空間を形成し、外カバーの頂上部には第二排気用ファンが設置されて、第一、第二排気空間に対して排気動作を行なうことを特徴とする照明器具の放熱装置。
【請求項２】
前記複数の導熱性パーツの吸熱先端及び放熱先端は、それぞれいずれも発光ダイオード照明器具のプリント回路板背面及び台座周辺に分布することが望ましい請求項１に記載の照明器具の放熱装置。
【請求項３】
凹型をしており、底部に通気穴を有する台座と、
台座底部に設置されて、プリント回路板及びプリント回路板に固定された複数の発光ダイオードを有し、前記発光ダイオードはさらに台座の通気穴の位置に対応する発光ダイオード照明器具と、
発光ダイオード照明器具のプリント回路板の背面に設置され、台座内に位置し、複数の魚のひれ状の放熱片が並んでいる放熱体と、
放熱体の一側面に設置された第一排気用ファンと、
台座内に設置され、放熱体の上方に位置する電源供給装置とを備え、
台座周辺内壁に複数の魚のひれ状の放熱片が分布し、周辺底部近くには複数の貫通穴が設置されて、発光ダイオード照明器具背面の放熱体底部近くの位置には、複数の導熱性パーツの吸熱先端が取り付けられ、前記導熱性パーツの放熱先端は台座の周辺内壁まで伸びていて、台座内には内カバーが設置されて、台座内の発光ダイオード照明器具、放熱体、第一排気用ファン、電源供給装置等の構成部分をカバーして、台座周辺との間にちょうど導熱性パーツを収納する第一排気空間を形成し、前記第一排気空間は台座周辺底部の貫通穴と互いに通じていて、台座上方には外カバーが設置されて、前記外カバーは内カバーと共に第一排気空間と相通じる第二排気空間を形成し、外カバーの頂上部には第二排気用ファンが設置されて、第一、第二排気空間に対して排気動作を行なうことを特徴とする照明器具の放熱装置。
【請求項４】
前記複数の導熱性パーツの吸熱先端及び放熱先端は、それぞれいずれも発光ダイオード照明器具背面の放熱体底部近くの位置及び台座周辺に分布することが望ましい請求項３に記載の照明器具の放熱装置。
【考案の詳細な説明】
【技術分野】
【０００１】
本考案は照明器具の放熱装置の改良に関し、特に照明効率を高め、消費電量を低くする機能を有する発光ダイオード照明器具の放熱装置に関する。本考案は、照明器具周辺に排気空間を設置し、排気空間の項上部に排気用ファンが設置されて持続的に排気を行ない、発光ダイオード照明器具のプリント回路板の背面に複数の導熱性パーツが設置されて、排気空間内の照明器具周辺にまで伸びている。したがって、発光ダイオード照明器具によって生じる高熱が速やかに照明器具の全体の周辺に伝わり、放熱面積を拡大する効果がある。同時に、排気空間内で放熱された熱気もまた、速やかに排気用ファンによって外に排出されるので、速やかに放熱し、発光ダイオード照明器具の使用寿命の延長することを特徴とする。
【背景技術】
【０００２】
高照明効率及び低消費電量の照明器具は現代のニーズである。照明器具において発光ダイオード（ＬＥＤ）照明器具は今やごく一般に普及しており、今後その傾向はますます高まることは間違いない。また、発光ダイオードは発光する時に同時に大量の熱を発するため、効果的にその熱を発散させなければ、発光ダイオードチップが急速に老化し、焼けて破損することもある。
【０００３】
上記の問題を解決するため、放熱金属を追加する方式で放熱の目的を果す技術が提供されている。この技術は、発光ダイオード照明器具に固定されたプリント回路の背面に、貼り付ける形態でひれ状のパーツを設置した放熱体を利用するもので、この放熱体のひれ状のパーツの表面が放熱面積を拡大することによって、発光ダイオード照明器具によって発生する大量の熱が、放熱体に伝えられて、放熱速度を高める効果を持たせるものである。
【考案の開示】
【考案が解決しようとする課題】
【０００４】
上記の、単一放熱体を発光ダイオード照明器具の背面に貼り付けることにより、放熱効率を高める方式は、小さいパワーの発光ダイオードに対しては、確かにその放熱効果が認められる。しかしながら、現在一般に普及している大きいパワーの発光ダイオードに対しては、その通過する電流がすでに従来の小さいパワーの発光ダイオードよりはるかに大きいため、発生する熱もそれに伴って大幅にアップしている。故に、単純に、上述の技術による放熱体による放熱方式及びその放熱能力は、現在のニーズには対応できず、よりよい放熱効果が得られないという問題がある。
【０００５】
本考案は、放熱面積を拡大することで放熱効果を高め、大きいパワーの発光ダイオードに対応する照明器具の放熱装置を提供することを課題とする。
【課題を解決するための手段】
【０００６】
上記の課題を解決するため、本考案は、台座の周辺に排気空間を設置し、排気空間の頂上部に排気用ファンを設置して、さらに、発光ダイオード照明器具の背面に複数の導熱性パーツが設置されて、排気空間内の台座周辺にまで伸びていることにより、放熱面積が拡大されて、発光ダイオード照明器具によって発生する高熱を、速やかに台座全体の周辺に伝えて、放熱効率を高めるだけでなく、同時に、排気空間内で放熱された熱気もまた、速やかに排気用ファンによって外に排出されるので、速やかに放熱されることを特徴とする。
【０００７】
また、本考案の照明器具の放熱装置は、構造がシンプルで、製作が簡単で便利であり、照明器具の放熱効率を高めることで、照明器具の使用寿命を延長させることが可能である。
【考案の効果】
【０００８】
本考案の照明器具は、放熱面積が拡大されて、照明器具の放熱効率を高めることで、照明器具の使用寿命を延長させることが可能である。また、構造がシンプルで、製作が簡単で便利である。したがって、製品としての適用性、理想性、進歩性が高い。
【考案を実施するための最良の形態】
【０００９】
図１、図２、図３、図４を参照しながら、本考案の好適な実施例について説明する。本考案の照明器具の放熱装置は、台座１０、発光ダイオード照明器具２０、放熱体３０、第一排気用ファン４０、電源供給装置５０、導熱性パーツ６０、内カバー７０、外カバー８０、第二排気用ファン９０を備える。この台座１０は凹型をしており、その底部に通気穴１０１を有し、周辺内壁には魚のひれ状に放熱片１０２が並んでいる。その近くの周囲の底部には複数の貫通穴１０３がある。発光ダイオード照明器具２０は、台座１０の底部に設置されて、プリント回路板２０１及びプリント回路板２０１に固定された複数の発光ダイオード２０２を有する。これらの発光ダイオード２０２はさらに発光ダイオード照明器具２０の通気穴１０１の位置に対応する。
【００１０】
放熱体３０は発光ダイオード照明器具２０のプリント回路板２０１の背面に設置され、台座１０内に位置する。さらに、複数の魚のひれ状に放熱片３０１が並んでいて、発光ダイオード照明器具２０によって発生した熱に対して放熱作用を行なう。第一排気用ファン４０は、放熱体３０の一側面に設置されて、放熱体３０が吸収及び発散した熱気に対して排出作用を行ない、放熱効率を高める。電源供給装置５０は台座１０内に設置され、放熱体３０の上方に位置して電源供給作用を行なう。
【００１１】
複数の導熱性パーツ６０は、その吸熱先端がそれぞれ発光ダイオード照明器具２０のプリント回路板２０１背面あるいは放熱体３０底部の近くの位置に貼り付く形で設置されて、発光ダイオード照明器具２０が発生した高熱を速やかに台座１０周辺に伝えて、その放熱片１０２によって速やかに放熱が行なわれる。内カバー７０は、台座１０内の発光ダイオード照明器具２０、放熱体３０、第一排気用ファン４０、電源供給装置５０等の構成部分をカバーして、台座１０周辺との間にちょうど導熱性パーツ６０を収納する第一排気空間Ａ1を形成する。その第一排気空間Ａ1は台座１０周辺底部の貫通穴１０３と互いに通じている。外カバー８０は、台座１０上方に取り付けられ、内カバー７０と共に第二排気空間Ａ2を形成する。この第二排気空間Ａ2はさらに台座１０と内カバー７０との間の第一排気空間Ａ1と通じている。第二排気用ファン９０は外カバー８０頂上部に取り付けられて、第二排気空間Ａ2と通じている。
【００１２】
上述の構成により、本考案は以下のように実施する。発光ダイオード照明器具２０のプリント回路板２０１背面には、複数の導熱性パーツ６０の吸熱先端が取り付けられ、これらの導熱性パーツ６０の吸熱先端はまた、台座１０の周辺内壁まで伸びている。発光ダイオード照明器具２０が発生した高熱は、直接速やかに台座１０全体の周辺に伝えられる。同時に、台座１０周辺には複数の魚のひれ状に放熱片１０２が並んでいて、放熱面積を拡大する。そして、放熱片１０２及び導熱性パーツ６０がいずれも第一排気空間Ａ1内に収納されていて、台座１０周辺に伝えられた高熱もまた、速やかに第一排気空間Ａ1全体で発散される。また、外カバー８０及び内カバー７０の間に形成された第二排気空間Ａ2は、第一排気空間Ａ1と通じている。そして、外カバー８０頂上部に設置された第二排気空間Ａ2も排気動作を続ける。第一排気空間Ａ1で発散された熱気は、速やかに第二排気空間Ａ2から外に排出されて、放熱効率を高めることができる。台座１０周辺底部には複数の貫通穴１０３が設置されていて、第一排気空間Ａ1に対応する。故に、前述の第二排気用ファン９０は第一排気空間Ａ1、第二排気空間Ａ2内の熱気に対して排出動作を行なう時、新鮮な空気が直接これらの貫通穴１０３から第一排気空間Ａ1に進入する。自然と空気の対流がスムーズになり、台座１０の多くの放熱片１０２が発散して出された熱気は、速やかに排出されて、確実に放熱効果を高めることができる。
【００１３】
上述のように、内カバー７０は発光ダイオード照明器具２０、放熱体３０、第一排気用ファン４０、電源供給装置５０等の構成部分をカバーして、台座１０周辺底部の複数の貫通穴１０３もまた第一排気空間Ａ1及び第二排気空間Ａ2に対応するので、戸外での本考案の照明器具を運用する場合は、第二排気用ファン９０から浸入した雨水が内カバー７０の外側に沿ってスムーズに下に流れて行き、自然に貫通穴１０３から排出される。したがって、雨に濡れて、内カバー７０内のパーツが損傷することがない。
【００１４】
上述のように、発光ダイオード照明器具２０の背面には放熱体３０及び第一排気用ファン４０が設置されていることにより、発光ダイオード照明器具２０が発生した熱気は、前述の導熱性パーツ６０を介して台座１０周辺に伝えられて大きな面積及び高効率での放熱が行なわれる外、同時に、放熱体３０の複数の放熱片３０１を介して補助的に放熱を行なう。当然、第一排気用ファン４０の送風によって、放熱体３０が発散した熱気は、さらに速やかに発光ダイオード照明器具２０周辺の通気穴１０１から排出されて、放熱効果を高めることができる。
【００１５】
したがって、発光ダイオード照明器具２０の放熱効率を高めるために、導熱性パーツ６０の吸熱先端及び放熱先端は、それぞれいずれも発光ダイオード照明器具２０のプリント回路板２０１背面及び台座１０周辺に分布することが望ましい。
【図面の簡単な説明】
【００１６】
【図１】本考案の実施例の前面からの断面図である。
【図２】図１の俯瞰断面図である。
【図３】図１の仰視図である。
【図４】図１の分解構造図である。
【符号の説明】
【００１７】
Ａ1         第一排気空間
Ａ2          第二排気空間
１０        台座
１０１      通気穴
１０２      放熱片
１０３      貫通穴
２０        発光ダイオード照明器具
２０１      プリント回路板
２０２      発光ダイオード
３０        放熱体
３０１      放熱片
４０        第一排気用ファン
５０        電源供給装置
６０        導熱性パーツ
７０        内カバー
８０        外カバー  
９０        第二排気用ファン
【図１】
0003131592.tif 000003
【図２】
0003131592.tif 000004
【図３】
0003131592.tif 000005
【図４】
0003131592.tif 000006